(57)【要約】【課題】フライホイール内の熱気の通風孔を経ての放出をスムーズに行える磁石発電機用フライホイール回転子を得る。【解決手段】筒部１ａの一端を底部１ｂで閉塞し、底部１ｂの中央に回転軸を支持させるためのボス部１ｃを設けたフライホイール１と、フライホイール１の筒部１ａの内周に複数の永久磁石２を隣接相互間に隙間３をあけて取り付ける。フライホイール１の筒部１ａには、隣接する永久磁石２間の隙間３に対応させて通風孔６を貫通してあける。【選択図】　図１
2004048971.tif 000002
【特許請求の範囲】
【請求項１】
筒部の一端が底部で閉塞され、前記底部の中央に回転軸を支持させるためのボス部が設けられているフライホイールと、前記フライホイールの前記筒部の内周に複数の永久磁石が隣接相互間に隙間をあけて取り付けられている磁石発電機用フライホイール回転子において、
前記フライホイールの前記筒部には隣接する前記永久磁石間の前記隙間に対応させて通風孔が貫通してあけられていることを特徴とする磁石発電機用フライホイール回転子。
【請求項２】
筒部の一端が底部で閉塞され、前記底部の中央に回転軸を支持させるためのボス部が設けられているフライホイールと、前記フライホイールの前記筒部の内周に複数の永久磁石が隣接相互間に隙間をあけて取り付けられている磁石発電機用フライホイール回転子において、
前記フライホイールの前記底部には隣接する前記永久磁石間の前記隙間に対応させて通風孔が貫通してあけられていることを特徴とする磁石発電機用フライホイール回転子。
【発明の詳細な説明】
【０００１】
【発明の属する技術分野】
本発明は、磁石発電機用フライホイール回転子に関するものである。
【０００２】
【従来の技術】
従来のこの種の磁石発電機用フライホイール回転子は、図３に示すように、筒部１ａの一端が底部１ｂで閉塞され、底部１ｂの中央に図示しない回転軸を支持させるためのボス部１ｃが設けられているフライホイール１と、フライホイール１の筒部１ａの内周に複数の永久磁石２が隣接相互間に隙間３をあけて取り付けられ、また底部１ｂにはフライホイール１内に配置される図示しない固定子の発電コイルの発熱時の放熱を行う通風孔４が貫通してあけられた構造になっていた。
【０００３】
【発明が解決しようとする課題】
しかしながら、このような磁石発電機用フライホイール回転子では、磁石発電機が高出力化されており、発電コイルの発熱による温度上昇が問題になっている。このためフライホイール１の筒部１ａに図示のように通風孔４を設けて、フライホイール１内の熱気を通風孔４を経て放出し、放熱を行わせようとしているが、フライホイール１が回転すると熱気５が永久磁石２間の隙間３で対流してしまい、フライホイール１内の熱気５の通風孔４を経ての放出がスムーズに行えず、冷却効果が十分に得られない問題点があった。
【０００４】
本発明の目的は、フライホイール内の熱気の通風孔を経ての放出をスムーズに行える磁石発電機用フライホイール回転子を提供することにある。
【０００５】
【課題を解決するための手段】
本発明は、筒部の一端が底部で閉塞され、該底部の中央に回転軸を支持させるためのボス部が設けられているフライホイールと、該フライホイールの筒部の内周に複数の永久磁石が隣接相互間に隙間をあけて取り付けられている磁石発電機用フライホイール回転子を対象とする。
【０００６】
本発明に係る磁石発電機用フライホイール回転子では、フライホイールの筒部には、隣接する永久磁石間の隙間に対応させて通風孔が貫通してあけられていることを特徴とする。
【０００７】
このような構造になっていると、フライホイールの回転に伴い、熱気が永久磁石間の隙間で対流しようとするのを、この隙間に対応して筒部にあけられている通風孔から放出させることができる。このため、フライホイール内の熱気の通風孔を経ての放出をスムーズに行うことができ、所要の冷却効果を得ることができる。
【０００８】
また、本発明に係る磁石発電機用フライホイール回転子では、フライホイールの底部には、隣接する永久磁石間の隙間に対応させて通風孔が貫通してあけられていることを特徴とする。
【０００９】
このような構造になっていると、フライホイールの回転に伴い、熱気が永久磁石間の隙間で対流しようとするのを、この隙間に対応して底部にあけられている通風孔から放出させることができる。このため、フライホイール内の熱気の通風孔を経ての放出をスムーズに行うことができ、所要の冷却効果を得ることができる。
【００１０】
【発明の実施の形態】
図１（Ａ）（Ｂ）は本発明に係る磁石発電機用フライホイール回転子の実施の形態の第１例を示したもので、図１（Ａ）は本例の磁石発電機用フライホイール回転子の正面図、図１（Ｂ）は図１（Ａ）の縦断面図である。なお、前述した図３と対応する部分には、同一符号を付けて示している。
【００１１】
本例の磁石発電機用フライホイール回転子では、フライホイール１の筒部１ａには、隣接する永久磁石２間の隙間３に対応させて通風孔６が貫通してあけられている。その他の構成は、前述した図３と同様になっている。
【００１２】
このような構造になっていると、フライホイール１の回転に伴い、熱気５が永久磁石２間の隙間３で対流しようとするのを、この隙間３に対応して筒部１ａにあけられている通風孔６から放出させることができる。このため、フライホイール１内の熱気５の通風孔４，６を経ての放出をスムーズに行うことができ、所要の冷却効果を得ることができる。
【００１３】
図２（Ａ）（Ｂ）は本発明に係る磁石発電機用フライホイール回転子の実施の形態の第２例を示したもので、図２（Ａ）は本例の磁石発電機用フライホイール回転子の正面図、図２（Ｂ）は図２（Ａ）の縦断面図である。なお、前述した図１（Ａ）（Ｂ）と対応する部分には、同一符号を付けて示している。
【００１４】
本例の磁石発電機用フライホイール回転子では、フライホイール１の底部１ｂには、隣接する永久磁石２間の隙間３に対応させて通風孔６が貫通してあけられている。その他の構成は、前述した図１（Ａ）（Ｂ）と同様になっている。
【００１５】
このような構造でも、フライホイール１の回転に伴い、熱気が永久磁石２間の隙間３で対流しようとするのを、この隙間３に対応して底部１ｂにあけられている通風孔６から放出させることができる。このため、フライホイール１内の熱気の通風孔４，６を経ての放出をスムーズに行うことができ、所要の冷却効果を得ることができる。
【００１６】
なお、上記各例では、フライホイール１の筒部１ａの内周に永久磁石２を４個配置した例について示したが、永久磁石２の数はこれに限定されるものではなく、永久磁石２の数は例えば６個等であってもよく、これら永久磁石２の隣接する隙間３に対応して通風孔６を設けるようにすればよい。
【００１７】
【発明の効果】
本発明に係る磁石発電機用フライホイール回転子では、フライホイールの筒部に、隣接する永久磁石間の隙間に対応させて通風孔を貫通してあけているので、フライホイールの回転に伴い、熱気が永久磁石間の隙間で対流しようとするのを、この隙間に対応して筒部にあけられている通風孔から放出させることができる。このため、フライホイール内の熱気の通風孔を経ての放出をスムーズに行うことができ、所要の冷却効果を得ることができる。
【００１８】
また、本発明に係る磁石発電機用フライホイール回転子では、フライホイールの底部に、隣接する永久磁石間の隙間に対応させて通風孔を貫通してあけているので、フライホイールの回転に伴い、熱気が永久磁石間の隙間で対流しようとするのを、この隙間に対応して底部にあけられている通風孔から放出させることができる。このため、フライホイール内の熱気の通風孔を経ての放出をスムーズに行うことができ、所要の冷却効果を得ることができる。
【図面の簡単な説明】
【図１】（Ａ）は本発明に係る磁石発電機用フライホイール回転子の実施の形態の第１例の正面図、（Ｂ）は（Ａ）の縦断面図である。
【図２】（Ａ）は本発明に係る磁石発電機用フライホイール回転子の実施の形態の第２例の正面図、（Ｂ）は（Ａ）の縦断面図である。
【図３】（Ａ）は従来の磁石発電機用フライホイール回転子の正面図、（Ｂ）は（Ａ）の縦断面図である。
【符号の説明】
１　フライホイール
１ａ　筒部
１ｂ　底部
１ｃ　ボス部
２　永久磁石
３　隙間
４　通風孔
５　熱気
６　通風孔
【図１】
2004048971.tif 000003
【図２】
2004048971.tif 000004
【図３】
2004048971.tif 000005